(57)【要約】      （修正有）【課題】より早く間違いなく薬剤ピッキングが行えるとともに、ピッキングを行うための薬剤棚において薬剤が確実に収納されているようにする。【解決手段】薬剤ピッキング支援装置は、薬剤ピッキング作業を行う複数のピッキング作業者を同時並行して支援する。そして、複数の収納部４１は、それぞれ一の種類の薬剤を収納する。また、表示部４２Ａ〜４２Ｃは、収納部にそれぞれ複数設けられ、異なるピッキング作業者に対応して、互いに異なる表示態様で薬剤の取り揃え数を表示する。【選択図】図８
2014171480.tif 000002
【特許請求の範囲】
【請求項１】
薬剤ピッキング作業を行う複数のピッキング作業者を同時並行して支援する薬剤ピッキング支援装置において、
それぞれ一の種類の薬剤を収納する複数の収納部と、
前記収納部にそれぞれ複数設けられ、異なる前記ピッキング作業者に対応して、互いに異なる表示態様で薬剤の取り揃え数を表示する表示部と、
を備えた薬剤ピッキング支援装置。
【請求項２】
前記表示部は、前記表示態様として前記取り揃え数を表す数字の色または前記数字の背景色の少なくともいずれかを前記ピッキング作業者にそれぞれ対応させて異ならせる、
請求項１記載の薬剤ピッキング支援装置。
【請求項３】
前記収納部毎に設けられ、当該収納部内に収納している前記薬剤の残数を表示する残数表示部を備えた請求項１記載の薬剤ピッキング支援装置。
【請求項４】
前記収納部内に収納している薬剤の残数が所定の残数以下となった場合に、前記所定の残数を越えて薬剤が収納されている場合と前記残数表示部における表示態様を異ならせて残数不足表示を行う、
請求項３記載の薬剤ピッキング支援装置。
【請求項５】
前記収納部内に収納している薬剤の残数から前記複数のピッキング作業者によりピッキングがなされた場合に、所定の残数以下となり得る場合に、所定の残数を越えて薬剤が収納されている場合と前記残数表示部における表示態様を異ならせて残数不足予告表示を行う、
請求項３又は請求項４記載の薬剤ピッキング支援装置。
【請求項６】
それぞれ一の種類の薬剤を収納する複数の収納部を有し、薬剤ピッキング作業を行う複数のピッキング作業者を同時並行して支援する薬剤ピッキング支援装置をコンピュータにより制御するための制御プログラムにおいて、
前記コンピュータを、
前記収納部にそれぞれ複数設けられ、異なる前記ピッキング作業者に対応して、互いに異なる表示態様で薬剤の取り揃え数を表示する手段と、
前記収納部毎に当該収納部内に収納している薬剤の残数を表示する手段と、
して機能させる制御プログラム。
【発明の詳細な説明】
【技術分野】
【０００１】
本発明の実施形態は、薬剤ピッキング支援装置及び制御プログラムに関する。
【背景技術】
【０００２】
従来、病院の薬剤部や、病棟の看護師ルームなどにおいては、薬剤師や看護師が医師の作成した処方箋（注射処方箋）に基づいて処方する薬剤を取り揃えるピッキング作業を行っていた。
ピッキング作業を行うに際しては、処方箋（処方薬剤リスト）を見て処方薬となっている複数の薬剤を所定数だけ取り揃える必要がある。
そして、ピッキング作業が確実に行われたことを確認するために、患者への処方前には、取揃えた複数の薬品が処方すべき薬剤であるか否かを、薬品のラベルと処方箋を見てチェックする監査作業を行っていた。
【発明の概要】
【発明が解決しようとする課題】
【０００３】
ところで、ピッキング作業は、正確性が要求されるにもかかわらず、迅速性も要求されるものとなっており、より早く間違いなくピッキングが行えることが望まれていた。
またピッキングを行うための薬剤棚においては、ピッキングの迅速性を担保するためにも薬剤が確実に収納されていることが望まれる。
【課題を解決するための手段】
【０００４】
実施形態の薬剤ピッキング支援装置は、薬剤ピッキング作業を行う複数のピッキング作業者を同時並行して支援する。
そして、複数の収納部は、それぞれ一の種類の薬剤を収納する。
また、表示部は、収納部にそれぞれ複数設けられ、異なるピッキング作業者に対応して、互いに異なる表示態様で薬剤の取り揃え数を表示する。
【図面の簡単な説明】
【０００５】
【図１】図１は、薬剤処方管理システムの概要構成ブロック図である。
【図２】図２は、ハンディターミナルの概要構成ブロック図である。
【図３】図３は、ピックアップ開始指示前の電子薬剤棚の外観正面図である。
【図４】図４は、電子薬剤棚の概要構成ブロック図である。
【図５】図５は、実施形態のメイン処理フローチャートである。
【図６】図６は、実施形態の表示制御処理の処理フローチャートである。
【図７】図７は、ハンディターミナルのタッチパネルディスプレイの表示操作状態説明図である。
【図８】図８は、表示内容の具体例の説明図である。
【発明を実施するための形態】
【０００６】
次に実施形態の好適な態様について図面を参照して説明する。
図１は、薬剤処方管理システムの概要構成ブロック図である。
薬剤処方管理システム１０は、電子カルテを管理し、記憶する電子カルテサーバ１１と、電子カルテの記入などを行うための医師用の情報処理端末装置１２と、薬剤部に配置され薬剤払出等を管理する薬剤部サーバ１３と、薬剤師等の薬剤ピッキング作業を行うピッキング作業者により携帯可能であり、各電子カルテに含まれる処方箋情報に基づいて薬剤のピックアップ（取り揃え）等における作業支援を行う複数のハンディターミナル１４と、薬剤ピックアップボックス１５と一体に形成されたピックアップ専用情報処理端末装置１６と、一種類の薬剤を収納可能な収納部４１を複数有し、薬剤のピックアップ作業を支援するピックアップ支援装置を構成する複数の電子薬剤棚１８と、ハンディターミナル１４及びピックアップ専用情報処理端末装置１６と通信ネットワーク１９との間を無線接続する無線アクセスポイント２０と、を備えている。
上記構成において、電子カルテサーバ１１、情報処理端末装置１２、薬剤部サーバ１３、電子薬剤棚１８及び無線アクセスポイント２０は、通信ネットワーク１９に接続されている。
【０００７】
図２は、ハンディターミナルの概要構成ブロック図である。
ハンディターミナル１４は、ハンディターミナル１４全体を制御するＭＰＵ３１と、ＭＰＵ３１の制御プログラムを含む各種データを不揮発的に記憶するＲＯＭ３２と、ＭＰＵ３１のワーキングエリアとしても用いられ、各種データを一時的に記憶するＲＡＭ３３と、タッチパネルディスプレイ３４を構成し、各種情報を表示するディスプレイ３５と、タッチパネルディスプレイ３４を構成し、各種情報の入力操作を行うためのタッチパネル３６と、ピッキング作業者を特定するＩＤカードや薬剤ピックアップのオーダーシート等に設けられている一次元バーコード、二次元バーコードなどのコードシンボルを読み込むためのスキャナ３７と、無線アクセスポイント２０との間の通信インタフェース動作を行う通信インタフェース（Ｉ／Ｆ）３８と、を備えている。
【０００８】
図３は、ピックアップ開始指示前の電子薬剤棚の外観正面図である。
電子薬剤棚１８は、引出し構造を有し、それぞれ一の種類の薬剤を収納する複数（図３では２５個）の収納部４１と、各収納部４１に対応してそれぞれ複数（図３においては、３個）設けられ、異なるピッキング作業者に対応して、互いに異なる表示態様で薬剤の取り揃え数を表示する表示部４２Ａ〜４２Ｃと、各収納部４１に対応して一つずつ設けられ、対応する収納部４１内に収納されている薬剤の残数を表示する残数表示部４３と、を備えている。
【０００９】
ここで、表示部４２Ａ〜４２Ｃは、ピックアップ情報表示部４４として機能する。
図３においては、薬剤の残数が５以下になった収納部４１（＝４１Ａ〜４１Ｃ）については、残数不足表示として残数表示部４３が残数不足表示状態となっている。なお、残数表示部４３の表示態様については後に詳述する。
【００１０】
図４は、電子薬剤棚の概要構成ブロック図である。
電子薬剤棚１８は、電子薬剤棚１８全体を制御するＭＰＵ５１と、ＭＰＵ５１の制御プログラムを含む各種データを不揮発的に記憶するＲＯＭ５２と、ＭＰＵ５１のワーキングエリアとしても用いられ、各種データを一時的に記憶するＲＡＭ５３と、薬剤の残数データ、設定データ等の各種データを不揮発的かつ更新可能に記憶するＥＥＰＲＯＭ５４と、通信ネットワーク１９との間の通信インタフェース動作を行う通信インタフェース（Ｉ／Ｆ）５５と、各収納部４１に設けられた残数表示部４３及びピックアップ情報表示部４４（＝表示部４２Ａ〜４２Ｃ）の表示制御をＭＰＵ５１の制御下で行うディスプレイコントロール部５６と、を備えている。
【００１１】
次に実施形態の動作を説明する。
図５は、実施形態のメイン処理フローチャートである。
図６は、実施形態の表示制御処理の処理フローチャートである。
図７は、ハンディターミナルのタッチパネルディスプレイの表示操作状態説明図である。
【００１２】
まず、電子薬剤棚１８のＭＰＵ５１は、通信ネットワーク１９及び通信インタフェース５５を介してハンディターミナル１４あるいはピックアップ専用情報処理端末装置１６からピックアップ開始要求が入力されたか否かを判別する（ステップＳ１１）。
【００１３】
図７（ａ）は、ハンディターミナル１４のピックアップ開始要求操作時のタッチパネルディスプレイ３４における表示状態の説明図である。
ピックアップ開始要求に先立って、ハンディターミナル１４のユーザであるピッキング作業者（たとえば、薬剤師）は、図示しないオーダーシートに印刷されている二次元バーコード等のコードシンボルをスキャナ３７により読み込むとともに、ピッキング作業者のＩＤカードのＩＤコード（コードシンボル）をスキャナ３７により読み込ませる。
【００１４】
この結果、図７（ａ）に示すように、ハンディターミナル１４のタッチパネルディスプレイ３４のオーダーコード表示領域６１には、オーダー番号が表示され、ＩＤ表示領域６２には、ピッキング作業者のＩＤが表示される。
これらの表示内容を確認したピッキング作業者は、ピックアップ開始指示ボタン６３をタップする。
【００１５】
これにより、ハンディターミナル１４のＭＰＵ３１は、通信インタフェース３８を介して、電子薬剤棚１８にオーダー番号及びピッキング作業者のＩＤを含むピックアップ開始要求を出力することとなる。
【００１６】
一方、ステップＳ１１の判別において、未だピックアップ開始要求が入力されていない場合には（ステップＳ１１；Ｎｏ）、電子薬剤棚１８のＭＰＵ５１は、待機状態となる。
ステップＳ１１の判別において、ハンディターミナル１４あるいはピックアップ専用情報処理端末装置１６からピックアップ開始要求が入力された場合には（ステップＳ１１；Ｙｅｓ）、入力されたピックアップ開始要求に基づいて、オーダー番号を取得し（ステップＳ１２）、ピッキング作業者のＩＤを取得する（ステップＳ１３）。
【００１７】
これにより、電子薬剤棚１８のＭＰＵ５１は、電子カルテサーバ１１あるいは薬剤部サーバ１３に対してオーダー番号を用いてオーダー内容（処方内容）を問い合わせる（ステップＳ１４）。
そして、電子カルテサーバ１１あるいは薬剤部サーバ１３からオーダー内容を取得すると、電子薬剤棚１８のＭＰＵ５１は、残数表示部４３及びピックアップ情報表示部４４の表示制御を行う（ステップＳ１５）。
【００１８】
具体的には、電子薬剤棚１８のＭＰＵ５１は、オーダー内容に対応する薬剤を収納している一又は複数のピックアップ情報表示部４４を構成している表示部４２Ａ〜４２Ｃのいずれか一つに当該オーダー内容に対応するピックアップ数量を表示する（ステップＳ２１）。
【００１９】
図８は、表示内容の具体例の説明図である。
以下の説明においては、ピッキング作業者が３名である場合について説明する。
図８（ａ）に示すように、第１のピッキング作業者に対応するピックアップ数量は表示部４２Ａに表示され、ピックアップ数量を表す数字（図８（ａ）では、「２」個）の背景色は、例えば、青色とされる。また、第２のピッキング作業者に対応するピックアップ数量は表示部４２Ｂに表示され、ピックアップ数量を表す数字（図８（ａ）では、「１」個）の背景色は、例えば、オレンジ色とされる。同様に、第３のピッキング作業者に対応するピックアップ数量は表示部４２Ｃに表示され、ピックアップ数量を表す数字（図８（ａ）では、「１」個）の背景色は、例えば、緑色とされる。
【００２０】
続いて、電子薬剤棚１８のＭＰＵ５１は、当該収納部４１におけるピックアップ数量の合計を算出する（ステップＳ２２）。
続いて、電子薬剤棚１８のＭＰＵ５１は、ＥＥＰＲＯＭ５４に記憶している薬剤の残数を読み出して取得する（ステップＳ２３）。
【００２１】
本実施形態においては、各収納部４１において収納されている薬剤の残数が第１しきい値（たとえば、１０個）を越えている場合には、残数は十分であるとし、残数が第２しきい値（たとえば、５個）以下となった場合には、残数不足であるとしてその旨を表示する。さらに、薬剤の補充をピッキング作業者に促すために、残数が第２しきい値を超えているが、残数からピックアップ数量合計を差し引いた場合の値Ａが第２しきい値以下となる場合には、残数不足となる可能性がある残数不足予告の旨の表示を行うようにしている。
【００２２】
そこで、電子薬剤棚１８のＭＰＵ５１は、ステップＳ２３で取得した薬剤の残数が第１しきい値（たとえば、１０個）以下であるか否かを判別する（ステップＳ２４）。
ステップＳ２４の判別において、薬剤の残数が第１しきい値を越えている場合には（ステップＳ２４；Ｎｏ）、残数通常表示を行う（ステップＳ２８）。
【００２３】
具体的には、ステップＳ２３で取得した残数が３５個（＞１０個）である場合には、残数表示部４３には、当該収納部４１に収納されている薬剤の残数（図８（ａ）では、「３５」個）が表示され、残数を表す数字の背景色は、残数が十分であることを表す色、例えば、白色とされる残数通常表示がなされる。
【００２４】
ステップＳ２４の判別において、薬剤の残数が第１しきい値以下である場合には（ステップＳ２４；Ｙｅｓ）、電子薬剤棚１８のＭＰＵ５１は、ステップＳ２３で取得した薬剤の残数が第２しきい値（たとえば、５個）以下であるか否かを判別する（ステップＳ２５）。
【００２５】
ステップＳ２５の判別において、薬剤の残数が第２しきい値を越えている場合には（ステップＳ２５；Ｎｏ）、電子薬剤棚１８のＭＰＵ５１は、ステップＳ２３で取得した薬剤の残数からステップＳ２２で算出したピックアップする薬剤の合計数を引いて値Ａを算出する（ステップＳ２６）。
【００２６】
次に電子薬剤棚１８のＭＰＵ５１は、値Ａが第２しきい値（たとえば、５個）以下であるか否かを判別する（ステップＳ２７）。
ステップＳ２７の判別において、値Ａが第２しきい値を越えている場合には（ステップＳ２７；Ｎｏ）、残数はまだ十分であるので、図８（ａ）に示したように、残数通常表示を行い（ステップＳ２８）、当該収納部４１に対する表示制御処理を終了する。
【００２７】
ステップＳ２７の判別において、値Ａが第２しきい値以下である場合には（ステップＳ２７；Ｙｅｓ）、残数不足となる可能性がある残数不足予告の旨の表示を行い（ステップＳ２９）、当該収納部４１に対する表示制御処理を終了する。
【００２８】
具体的には、図８（ｂ）の例の場合、ピックアップ数の合計は１１（＝２＋８＋１）個であるので、
Ａ＝残数−ピックアップ数合計
＝１５−１１
＝４＜５（＝第２しきい値）
となる。
【００２９】
したがって、残数表示部４３には、当該収納部４１に収納されている薬剤の残数（図８（ｂ）では、「１５」個）が表示され、残数を表す数字の背景色は、ピックアップ後に残数不足となる可能性があることを表す色、例えば、黄色とされる残数不足予告表示がなされる。
【００３０】
一方、ステップＳ２５の判別において、ステップＳ２３で取得した薬剤の残数が第２しきい値以下である場合には（ステップＳ２５；Ｙｅｓ）、残数不足である旨の残数不足表示を行い（ステップＳ３０）、当該収納部４１に対する表示制御処理を終了する。
【００３１】
具体的には、図８（ｃ）の例の場合、
残数＝５（≦第２しきい値）
となる。
【００３２】
したがって、残数表示部４３には、当該収納部４１に収納されている薬剤の残数（図８（ｃ）では、「５」個）が表示され、残数を表す数字の背景色は、残数不足であることを表す色、例えば、赤色とされる残数不足表示がなされる。
【００３３】
これらと並行して、ピックアップ作業者は、オーダーシートに指示された薬剤のピックアップを行う。
薬剤のピックアップ途中においては、図７（ｂ）に示すように、ピックアップ作業者のハンディターミナル１４のタッチパネルディスプレイ３４にはオーダー番号表示領域７１に、オーダー番号が表示され、患者氏名表示領域７２には、ピックアップ後の薬剤の処方対象の患者氏名が表示され、ピックアップ作業者名表示領域７３には、ピックアップ作業者である薬剤師の氏名が表示される。
【００３４】
また、ピックアップ対象色表示部７４には、当該ピックアップ作業者がピックアップすべき薬剤が収納された収納部４１に対応する表示部４２Ａ〜４２Ｃの表示態様として用いられる色が表示される。
さらにタッチパネルディスプレイ３４のリスト表示領域７５には、オーダーシートに対応する薬剤のリストが表示される。
【００３５】
リスト表示領域７５は、薬剤名を表示する薬剤名表示領域７６と、対応する薬剤のピックアップ数を表示するピックアップ数表示領域７７と、を備えている。
そして、それぞれの薬剤名に対応して、ピックアップ報告ボタン７８が表示されているので、いずれかの薬剤のピックアップを完了したピックアップ作業者は、対応するピックアップ報告ボタン７８をタップする。
【００３６】
具体的には、図７（ｂ）の場合には、ピックアップ報告ボタン７８Ａがタップされた状態を表しており、ピックアップ報告ボタン７８の表示が「ＯＫ」から「済」となり、ピックアップが完了したことを表している。
したがってピックアップ作業者は、全てのピックアップ報告ボタン７８の表示が「ＯＫ」から「済」となるまで薬剤のピックアップ作業を継続することとなる。
【００３７】
一方、ピックアップ報告ボタン７８Ａがタップされたことは、ハンディターミナル１４のＭＰＵ３１により電子薬剤棚１８のＭＰＵ５１に通知され、この通知を受けたＭＰＵ５１は、当該薬剤の収納部４１に対応する表示部（表示部４２Ａ〜４２Ｃのいずれか）の当該ピックアップ作業者に対応する表示を終了する。
【００３８】
以上の説明のように、本実施形態によれば、収納部４１にそれぞれ複数設けられ、異なるピッキング作業者に対応して、互いに異なる表示態様で薬剤の取り揃え数を表示部４２Ａ〜４２Ｃに表示するので、調剤薬局などで複数のピッキング作業者（たとえば、薬剤師）が同時並行してピッキング作業を行う場合でもより早く、間違いなくピッキングが行える。
またこのとき、残数表示部４３には、収納部４１に収納されている薬剤の残数が表示され、ピッキングにより薬剤が不足する可能性がある収納部４１あるいは既に薬剤が不足しているとされる収納部４１においては、残数表示部４３の表示態様が異なるように表示を行うので、補充対象の収納部４１を確実かつ容易に把握することができる。
【００３９】
以上の説明においては、残数表示部４３において、通常表示時、残数不足予告表示時及び残数不足表示時で色が異なるようにしていたが、反転表示したり、点滅表示（点滅パターンを変更する場合も含む）したりするように構成することも可能である。
【００４０】
以上の説明においては、表示部４２Ａ〜４２Ｃにおいては、ピックアップ数を示す数字の背景色をピッキング作業者毎に異なるようにしていたが、ピックアップ数（取り揃え数）を表す数字の色または数字の背景色の少なくともいずれかをピッキング作業者にそれぞれ対応させて異ならせるようにしてもよい。
【００４１】
以上の説明においては、スキャナ３７によりコードシンボルを読み取る方式を採用していたが、コードシンボルに限らず、ＲＦＩＤを用いるように構成することも可能である。
【００４２】
以上の説明においては、薬剤ピッキング支援装置として構成している電子薬剤棚１８を病院で用いる場合を例として説明したが、これに限らず、調剤薬局、研究室、実験室等の薬剤ピッキング（薬品ピッキング）を行う必要がある部門であれば、同様に適用することが可能である。
【００４３】
本実施形態の薬剤ピッキング支援装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４４】
また、本実施形態の薬剤ピッキング支援装置で実行される制御プログラムを、インターネット等のネットワークに接続されたコンピュータ上に格納し、ネットワーク経由でダウンロードさせることにより提供するように構成しても良い。また、本実施形態の薬剤ピッキング支援装置で実行される制御プログラムをインターネット等のネットワーク経由で提供または配布するように構成しても良い。
【００４５】
また、本実施形態の薬剤ピッキング支援装置の制御プログラムを、ＲＯＭ等に予め組み込んで提供するように構成してもよい。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１０    薬剤処方管理システム
１１    電子カルテサーバ
１２    情報処理端末装置
１３    薬剤部サーバ
１４    ハンディターミナル
１５    薬剤ピックアップボックス
１６    ピックアップ専用情報処理端末装置
１８    電子薬剤棚
１９    通信ネットワーク
２０    無線アクセスポイント
３１    ＭＰＵ
３４    タッチパネルディスプレイ
３７    スキャナ
３８    通信インタフェース
４１    収納部
４２Ａ〜４２Ｃ  表示部
４３    残数表示部
４４    ピックアップ情報表示部
５１    ＭＰＵ
７４    ピックアップ対象色表示部
【先行技術文献】
【特許文献】
【００４７】
【特許文献１】特許第４６８４１５９号公報
【図１】
2014171480.tif 000003
【図２】
2014171480.tif 000004
【図３】
2014171480.tif 000005
【図４】
2014171480.tif 000006
【図５】
2014171480.tif 000007
【図６】
2014171480.tif 000008
【図７】
2014171480.tif 000009
【図８】
2014171480.tif 000010